(57)【要約】【課題】  多チャンネル入力方式映像装置の従来技術においては、各チャンネル入力毎にそれぞれの状態で画質を調整していくという作業が必要であった。この作業は、各種メディアからの入力の画質を最適に調整して映像を見たいときに大変不便で時間がかかるという問題があった。【解決手段】  映像信号を複数のチャンネルから入力し復調増幅するチューナー１と、映像処理回路２と、マルチ画面処理回路３と、モニタ装置４を備えた多チャンネル入力方式映像装置１５において、各チャンネル毎に画質調整パラメータを記憶する記憶手段１１と、分割して表示された画面の任意の１つの画面で画質調整され、該画質調整により得られた画質調整パラメータを、前記分割された他の任意の画面の画質調整パラメータとして前記記憶手段１１にコピーする手段を備えたことを特徴とする多チャンネル入力方式映像装置。【選択図】図１
2006157222.tif 000002
【特許請求の範囲】
【請求項１】
映像信号を複数のチャンネルから入力する多チャンネル入力方式映像装置において、
各チャンネル毎に画面の画質を決定する画質調整パラメータを記憶する記憶手段と、
画質調整の際に選択された画面にしたがって画質調整することによって得られた画質調整パラメータを前記記憶手段に記憶すると共に、他の任意のチャンネル画面の画質調整パラメータとして前記記憶手段にコピーする手段を備えたことを特徴とする多チャンネル入力方式映像装置。
【請求項２】
映像信号を複数のチャンネルから入力する多チャンネル入力方式映像装置において、
各チャンネル毎に画面の画質を決定する画質調整パラメータを記憶する記憶手段と、
前記各チャンネルに対応する映像画面をモニタ装置に分割して表示するマルチ画面表示手段と、
画質調整の際に、前記分割して表示された画面の任意の１つの画面で画質調整され、該画質調整により得られた画質調整パラメータを、前記分割して表示された他の任意の画面の画質調整パラメータとして前記記憶手段にコピーする手段を備えたことを特徴とする多チャンネル入力方式映像装置。
【請求項３】
前記各チャンネルの前記画質調整パラメータ間の比率を記憶する画質調整パラメータ変換係数記憶手段と、
任意の１つの画面で調整された画質調整パラメータを他の任意の画面の画質調整パラメータとして前記記憶手段にコピーする際、前記画質調整パラメータ変換係数記憶手段に記憶された係数で重み付けする手段を備えたことを特徴とする請求項１又は請求項２のいずれか一項に記載の多チャンネル入力方式映像装置。
【請求項４】
前記記憶手段は不揮発性メモリであることを特徴とする請求項１又は請求項３のいずれか一項に記載の多チャンネル入力方式映像装置。
【請求項５】
映像信号を複数のチャンネルから入力する多チャンネル入力方式映像装置の画質調整装置において、
各チャンネル毎に画面の画質を決定する画質調整パラメータを記憶する記憶手段と、
画質調整の際に選択された画面にしたがって画質調整することによって得られた画質調整パラメータを前記記憶手段に記憶すると共に、他の任意のチャンネル画面の画質調整パラメータとして前記記憶手段にコピーする手段を備えたことを特徴とする多チャンネル入力方式映像装置の画質調整装置。
【請求項６】
映像信号を複数のチャンネルから入力する多チャンネル入力方式映像装置の画質調整装置において、
各チャンネル毎に画面の画質を決定する画質調整パラメータを記憶する記憶手段と、
前記各チャンネルに対応する映像画面をモニタ装置に分割して表示するマルチ画面表示手段と、
画質調整の際に、前記分割して表示された画面の任意の１つの画面で画質調整され、該画質調整により得られた画質調整パラメータを、前記分割して表示された他の任意の画面の画質調整パラメータとして前記記憶手段にコピーする手段を備えたことを特徴とする多チャンネル入力方式映像装置の画質調整装置。
【請求項７】
前記各チャンネルの前記画質調整パラメータ間の比率を記憶する画質調整パラメータ変換係数記憶手段と、
任意の１つの画面で調整された画質調整パラメータを他の任意の画面の画質調整パラメータとして前記記憶手段にコピーする際、前記画質調整パラメータ変換係数記憶手段に記憶された係数で重み付けする手段を備えたことを特徴とする請求項５又は請求項６のいずれか一項に記載の多チャンネル入力方式映像装置の画質調整装置。
【請求項８】
前記記憶手段は不揮発性メモリであることを特徴とする請求項５又は請求項７のいずれか一項に記載の多チャンネル入力方式映像装置の画質調整装置。
【請求項９】
映像信号を複数のチャンネルから入力する多チャンネル入力方式映像装置の画質調整方法において、
各チャンネル毎に画面の画質を決定する画質調整パラメータを記憶し、
画質調整の際に選択された画面にしたがって画質調整することによって得られた画質調整パラメータを前記記憶手段に記憶すると共に、他の任意のチャンネル画面の画質調整パラメータとして前記記憶手段にコピーすることを特徴とする多チャンネル入力方式映像装置の画質調整方法。
【請求項１０】
映像信号を複数のチャンネルから入力する多チャンネル入力方式映像装置の画質調整方法において、
各チャンネル毎に画面の画質を決定する画質調整パラメータを記憶し、
前記各チャンネルに対応する映像画面をモニタ装置に分割して表示し、
画質調整の際に、前記分割して表示された画面の任意の１つの画面で画質調整され、
該画質調整により得られた画質調整パラメータを、前記分割して表示された他の任意の画面の画質調整パラメータとして前記記憶手段にコピーすることを特徴とする多チャンネル入力方式映像装置の画質調整方法。
【請求項１１】
前記各チャンネルの前記画質調整パラメータ間の比率を記憶し、
任意の１つの画面で調整された画質調整パラメータを他の任意の画面の画質調整パラメータとして前記記憶手段にコピーする際、前記係数で重み付けすることを特徴とする請求項９又は請求項１０のいずれか一項に記載の多チャンネル入力方式映像装置の画質調整方法。
【請求項１２】
前記画質調整パラメータは不揮発性メモリに記憶されることを特徴とする請求項９又は請求項１１のいずれか一項に記載の多チャンネル入力方式映像装置の画質調整方法。
【発明の詳細な説明】
【技術分野】
【０００１】
本発明は、多チャンネル入力方式映像装置、その画質調整装置、及び画質調整方法に係り、特に入力メディアが異なる多チャンネル入力方式映像装置、その画質調整装置、及び画質調整方法に関する。
【背景技術】
【０００２】
テレビジョン受像機などの映像装置として、各種メディアからの信号を受信し再生する多チャンネル入力方式のものが実用化されている。この多チャンネル入力方式の映像装置には、アナログ放送、地上ディジタル放送、衛星ディジタル放送、ＤＶＤコンポなど、複数種類のメディアからの信号を入力することができる。
【０００３】
これら複数種類のメディアから入力された映像信号を再生すると、それぞれの信号データが異なっているため、映像の画質が異なって再生されることになる。このため、チャンネルを切り換えた場合に映像の画質が異なっているため違和感を覚えることがある。あるいは好みの画質でないため、チャンネル個々に調整することになる。
【０００４】
図７は従来技術として、特開２０００−１８４３０８号公報（特許文献１）に記載された多チャンネル入力方式のテレビジョン受像機における画質調整の方法を示したものである。
【０００５】
図７において、４１はアナログ受信部、４２はディジタル受信部、４３はアナログ受信部４１の信号あるいはディジタル受信部４２のいずれか一方を選択する選択部、４４は映像信号処理部、４５は画質調整部、４６は走査変換部、４７は表示部、４８は全体を制御する制御部、４９は予め決めた画質調整パラメータの組み合わせデータを記憶した記憶部、５０はリモコンである（詳細動作などは特許文献１の内容を参照）。
【０００６】
この従来技術はアナログ放送の受信時には選択部４３でアナログ受信部４１からの信号を選択し画質調整部４５で画質を調整し、ディジタル放送の受信時には選択部４３でディジタル受信部４２からの信号を選択し画質調整部４５で画質を調整するように構成されている。このときの画質調整には記憶部４９に格納された画質調整パラメータが共通に使用され、チャンネル毎の画質変更はできない。
【０００７】
また、図８は上記特許文献１に記載された、多チャンネル入力方式のテレビジョン受像機における画質調整の他の方法を示したものである。
【０００８】
図８における４９は予め決めた画質調整パラメータの組み合わせデータを記憶した記憶部であるが、アナログ放送の受信時とディジタル放送の受信時に対応したそれぞれの画質調整パラメータの組み合わせデータ４９ａ、４９ｂを用意している点が図７の場合と異なる。図８の構成であればアナログ放送の受信時とディジタル放送の受信時でそれぞれに適した異なる画質調整パラメータの組み合わせデータを使用でき、最適画質で映像再生ができるとされている。
【特許文献１】特開２０００−１８４３０８号公報
【発明の開示】
【発明が解決しようとする課題】
【０００９】
ところで、上記従来技術においては、各チャンネル入力に対して共通に画質調整が行われ、最適な画質に調整することができなかったり、あるいは各チャンネル入力毎にそれぞれの状態で画質を調整していくという作業が必要であった。このような作業は、各種メディアからの入力の画質を最適に調整して映像を見たいときに大変不便で時間がかかるという問題があった。
【００１０】
そこで、本発明の目的は、上記問題を解決し、画質調整を簡単に一度に行え、調整時間の短縮ができる多チャンネル入力方式映像装置の画質調整装置、及び画質調整方法を提供することにある。
【課題を解決するための手段】
【００１１】
本発明の請求項１に係る発明の要旨は、映像信号を複数のチャンネルから入力する多チャンネル入力方式映像装置において、各チャンネル毎に画面の画質を決定する画質調整パラメータを記憶する記憶手段と、画質調整の際に選択された画面にしたがって画質調整することによって得られた画質調整パラメータを前記記憶手段に記憶すると共に、他の任意のチャンネル画面の画質調整パラメータとして前記記憶手段にコピーする手段を備えたことを特徴とする多チャンネル入力方式映像装置に存する。
また、本発明の請求項２に係る発明の要旨は、映像信号を複数のチャンネルから入力する多チャンネル入力方式映像装置において、各チャンネル毎に画面の画質を決定する画質調整パラメータを記憶する記憶手段と、前記各チャンネルに対応する映像画面をモニタ装置に分割して表示するマルチ画面表示手段と、画質調整の際に、前記分割して表示された画面の任意の１つの画面で画質調整され、該画質調整により得られた画質調整パラメータを、前記分割して表示された他の任意の画面の画質調整パラメータとして前記記憶手段にコピーする手段を備えたことを特徴とする多チャンネル入力方式映像装置に存する。
また、本発明の請求項３に係る発明の要旨は、前記各チャンネルの前記画質調整パラメータ間の比率を記憶する画質調整パラメータ変換係数記憶手段と、任意の１つの画面で調整された画質調整パラメータを他の任意の画面の画質調整パラメータとして前記記憶手段にコピーする際、前記画質調整パラメータ変換係数記憶手段に記憶された係数で重み付けする手段を備えたことを特徴とする請求項１又は請求項２のいずれか一項に記載の多チャンネル入力方式映像装置に存する。
また、本発明の請求項４に係る発明の要旨は、前記記憶手段は不揮発性メモリであることを特徴とする請求項１又は請求項３のいずれか一項に記載の多チャンネル入力方式映像装置に存する。
また、本発明の請求項５に係る発明の要旨は、映像信号を複数のチャンネルから入力する多チャンネル入力方式映像装置の画質調整装置において、各チャンネル毎に画面の画質を決定する画質調整パラメータを記憶する記憶手段と、画質調整の際に選択された画面にしたがって画質調整することによって得られた画質調整パラメータを前記記憶手段に記憶すると共に、他の任意のチャンネル画面の画質調整パラメータとして前記記憶手段にコピーする手段を備えたことを特徴とする多チャンネル入力方式映像装置の画質調整装置に存する。
また、本発明の請求項６に係る発明の要旨は、映像信号を複数のチャンネルから入力する多チャンネル入力方式映像装置の画質調整装置において、各チャンネル毎に画面の画質を決定する画質調整パラメータを記憶する記憶手段と、前記各チャンネルに対応する映像画面をモニタ装置に分割して表示するマルチ画面表示手段と、画質調整の際に、前記分割して表示された画面の任意の１つの画面で画質調整され、該画質調整により得られた画質調整パラメータを、前記分割して表示された他の任意の画面の画質調整パラメータとして前記記憶手段にコピーする手段を備えたことを特徴とする多チャンネル入力方式映像装置の画質調整装置に存する。
また、本発明の請求項７に係る発明の要旨は、前記各チャンネルの前記画質調整パラメータ間の比率を記憶する画質調整パラメータ変換係数記憶手段と、任意の１つの画面で調整された画質調整パラメータを他の任意の画面の画質調整パラメータとして前記記憶手段にコピーする際、前記画質調整パラメータ変換係数記憶手段に記憶された係数で重み付けする手段を備えたことを特徴とする請求項５又は請求項６のいずれか一項に記載の多チャンネル入力方式映像装置の画質調整装置に存する。
また、本発明の請求項８に係る発明の要旨は、前記記憶手段は不揮発性メモリであることを特徴とする請求項５又は請求項７のいずれか一項に記載の多チャンネル入力方式映像装置の画質調整装置に存する。
また、本発明の請求項９に係る発明の要旨は、映像信号を複数のチャンネルから入力する多チャンネル入力方式映像装置の画質調整方法において、各チャンネル毎に画面の画質を決定する画質調整パラメータを記憶し、画質調整の際に選択された画面にしたがって画質調整することによって得られた画質調整パラメータを前記記憶手段に記憶すると共に、他の任意のチャンネル画面の画質調整パラメータとして前記記憶手段にコピーすることを特徴とする多チャンネル入力方式映像装置の画質調整方法に存する。
また、本発明の請求項１０に係る発明の要旨は、映像信号を複数のチャンネルから入力する多チャンネル入力方式映像装置の画質調整方法において、各チャンネル毎に画面の画質を決定する画質調整パラメータを記憶し、前記各チャンネルに対応する映像画面をモニタ装置に分割して表示し、画質調整の際に、前記分割して表示された画面の任意の１つの画面で画質調整され、該画質調整により得られた画質調整パラメータを、前記分割して表示された他の任意の画面の画質調整パラメータとして前記記憶手段にコピーすることを特徴とする多チャンネル入力方式映像装置の画質調整方法に存する。
また、本発明の請求項１１に係る発明の要旨は、前記各チャンネルの前記画質調整パラメータ間の比率を記憶し、任意の１つの画面で調整された画質調整パラメータを他の任意の画面の画質調整パラメータとして前記記憶手段にコピーする際、前記係数で重み付けすることを特徴とする請求項９又は請求項１０のいずれか一項に記載の多チャンネル入力方式映像装置の画質調整方法に存する。
また、本発明の請求項１２に係る発明の要旨は、前記画質調整パラメータは不揮発性メモリに記憶されることを特徴とする請求項９又は請求項１１のいずれか一項に記載の多チャンネル入力方式映像装置の画質調整方法に存する。
【発明の効果】
【００１２】
本発明によれば、画質調整を簡単に一度に行え、調整時間の短縮ができるという効果がある。
また、マルチ画面表示することにより同じ設定状態での画質の比較ができるという効果がある。
【発明を実施するための最良の形態】
【００１３】
以下、本発明を実施するための最良の形態を、図面を参照して具体的に説明する。
【００１４】
（第１の実施の形態）
図１は本発明の第１の実施の形態である、多チャンネル入力方式映像装置の構成を示したものである。
【００１５】
図１において、１は各メディアからの信号を受信し復調、増幅するチューナーである。１−１から１−ｎは、図１の例では１−１がアナログ放送受信のチューナーであるch.1、１−２が地上ディジタル放送受信のチューナーであるch.2、１−３が衛星ディジタル放送受信のチューナーであるch.3、１−ｎがＤＶＤコンポからの信号受信のチューナーであるch.nとなっている。
【００１６】
２は映像処理回路であり、画質を調整する機能を備えている。また、映像処理回路２は画質調整用のパラメータを記憶するレジスタを備えている。図１の例では２−１がアナログ放送受信の映像処理回路、２−２が地上ディジタル放送受信の映像処理回路、２−３が衛星ディジタル放送受信の映像処理回路、２−ｎがＤＶＤコンポからの信号受信の映像処理回路となっている。
【００１７】
３はマルチ画面処理回路で、１画面のメモリにそれぞれのチャンネルの映像処理回路のデータを書き込み、マルチ画面表示データを作成する。
【００１８】
４はＣＲＴ、液晶表示装置などの画像表示装置であるモニタ装置を示している。モニタ装置４はマルチ画面処理回路からの信号によりマルチ画面表示、あるいは１画面表示などとして映像を再生する。５〜７はアンテナ、８はＤＶＤコンポを示している。
【００１９】
９はマイクロコンピュータを含む制御部で、多チャンネル入力方式映像装置の全体の制御を行っている。１０は演算データなどを記憶するＲＡＭである。１１は画質調整用のパラメータが記憶される読み書き可能な不揮発性メモリで、フラッシュメモリなどが使用される。
【００２０】
１２は制御部のマイクロコンピュータの制御に必要なプログラムが記憶されたＲＯＭで、画質調整用のプログラム（後述のフローチャートに示した画質調整用のプログラムなど）も含まれている。
【００２１】
１３はリモートコントローラ（以下、リモコンという）であり、操作者が操作することにより、赤外線、あるいは電波などによりその操作データを送信することができる。１４はリモコン１３からの操作データを受信するリモコン受信部であり、データバスを介して受信したデータを制御部９に出力する。
【００２２】
図２は不揮発性メモリ１１の記憶内容を説明するもので、各チャンネルに対応して画質調整用のパラメータを記憶する領域を有している。領域１はチャンネル１（ch.1）に、領域２はチャンネル２（ch.2）に、・・・領域ｎはチャンネルｎ（ch.n）に対応する画質調整用パラメータの記憶領域である。
【００２３】
このように構成された多チャンネル入力方式映像装置の動作を図３のフローチャートにしたがって以下説明する。
【００２４】
ステップＳ１において、リモコン１３のキー操作がおこなわれると、ステップ２に進み、リモコン１３のＭＥＮＵキーが押下されたかどうかを判断する。押下されたキーがＭＥＮＵキーでなければ、ステップＳ３に進み、各キーに応じた制御などを実行し、ステップＳ２に戻り、ステップＳ２以下の制御が行われる。
【００２５】
押下されたキーがＭＥＮＵキーのときは、ステップＳ４に進み、モニタ４にメニュー画面を表示しステップ５に進む。ステップＳ５でキーが押下されると、押下されたキーがＥＸＩＴキーかどうかが判断される。
【００２６】
ステップＳ５でＥＸＩＴキーが押下されたと判断されたときはステップＳ２に戻り、ステップＳ２以下の制御が行われる。
【００２７】
ステップＳ５で、押下されたキーがＥＸＩＴキーの押下でなければステップＳ６に進み、リモコン１３のキー操作によって、メニューに表示された項目の選択が行われステップＳ７に進む。
【００２８】
ステップ７では画質調整の項目が選択されたかどうか判断される。画質調整の項目が選択されなかったときはステップＳ８に進み、選択された他の各項目に応じた制御などを実行し、ステップＳ５に戻り、メニュー画面表示によるリモコン１３からのキー操作による入力待ち状態となる。
【００２９】
ステップＳ７で画質調整の項目が選択されたと判断されたときはステップＳ９に進み、モニタ４に「複数画面表示を行う」「複数画面表示を行なわない」を選択させる表示を行い、どちらが選択されたかを判断する。
【００３０】
ステップＳ９で複数画面表示を行うと判断されたときは、制御部９は、マルチ画面処理回路３を制御して、図４に示したように、モニタ４の表示を複数画面表示にするよう制御する。
【００３１】
図４は、多チャンネル入力方式映像装置１５をモニタ装置４側から見たもので、モニタ装置４の表示が４−１〜４−４の４つ画面に分割表示されている。４−１はチャンネル１（ch.1）に対応した画面、４−２はチャンネル２（ch.2）に対応した画面、４−３はチャンネル３（ch.3）に対応した画面、４−４はチャンネル４（ch.4）に対応した画面を示している。この画面表示は一例であり他の画面分割表示としてもよい。
【００３２】
ステップ１０において、任意の１画面を選択し画質調整が行われる。例えば画面４−３が選択されコントラスト、黒レベル、周波数特性、輪郭補正などの画質調整が行われる。画質調整が終了したとき操作者はリモコン１３を操作し画質調整を決定する。
【００３３】
ステップＳ１１は画質調整を決定するかどうかを判断するステップであり、画質調整の決定はモニタ４の画面の一部に「画質調整決定」の表示をしておき、リモコン１３を操作してこれを選択することにより行われる。画質調整決定がされないときはステップＳ１０、Ｓ１１が繰り返し実行される。
【００３４】
ステップＳ１１において画質調整が決定されたときは、ステップＳ１２に進み、今画質調整した画面４−３の画質を、他のチャンネル入力に対する画面４−１、４−２、４−４の画質に適用するかどうかを判断する。すなわち「他の画面にこの画質を適用する」「他の画面にこの画質を適用しない」の画面に表示された指示に従い、リモコン１３を操作しいずれかが選択される。
【００３５】
ステップＳ１２で、他の画面にこの画質を適用しないと判断されたときにはステップＳ１４に進み、画質調整パラメータをフラッシュメモリ１１に格納するなどの画質決定の処理を行い、複数入力画質調整の工程を終了させ、ステップＳ５に進み、メニュー画面表示によるリモコン１３からのキー操作による入力待ち状態となる。
【００３６】
ステップＳ１２で他の画面にこの画質を適用すると判断されたときにはステップＳ１３に進み、画面４−３の画質をどの画面に適用するかを選択する。この場合、適用画面は任意に選択できる。例えば画面４−１、４−２が選択されたときには、画面４−１、４−２が画面４−３と同一画質調整パラメータの画質に調整され、画面４−４の画質はもとのままとなる。これは適用画面に対応する画質調整パラメータを変更することで行われる。
【００３７】
画面４−３の画質調整パラメータを画面４−１、４−２の画質調整パラメータに適用する制御は、画面４−３の画質調整パラメータの記憶データを画面４−１、４−２の画質調整パラメータとしてコピーすることにより実行される。このコピーの実行はフラッシュメモリ１１の領域３のデータを領域１、２にコピーして行われる。あるいは演算実行結果が記憶されたＲＡＭ１０のデータを画面４−１、４−２の画質調整パラメータとしてＲＡＭ１０に記憶し、更にＲＡＭ１０に記憶された画質調整パラメータデータはフラッシュメモリ１１に記憶するようにしても良い。フラッシュメモリ１１に記憶された画質調整パラメータデータは最終的に映像処理回路２のレジスタに記憶される。
【００３８】
ステップＳ９において、複数画面表示を行わないと判断されたときは、モニタ４の表示を複数画面表示とせず、ステップＳ１５において、画質調整する所望の１画面により個々の画質調整を行う。
【００３９】
ステップＳ１６は画質調整を決定するかどうかを判断するステップであり、画質調整の決定はモニタ４の画面の一部に「画質調整決定」の表示をしておき、リモコン１３を操作してこれを選択することにより行われる。画質調整決定がされないときはステップＳ１５、Ｓ１６が繰り返し実行される。
【００４０】
ステップＳ１６において画質調整が決定されたときは、ステップＳ１７に進み画質調整パラメータをフラッシュメモリ１１に格納するなどの画質調整決定の処理を行う。
【００４１】
以上、画質調整の方法について説明したが、画質調整が行われると、その画質調整により決定された画質調整パラメータが、各チャンネルに対応して図２に示したフラッシュメモリ１１の各領域に格納される。制御部９は定期的にフラッシュメモリ１１に格納された画質調整パラメータを対応するチャンネルの映像処理回路２に書き込むように動作している。映像処理回路２の各映像処理回路２−１〜２−ｎは、それぞれ画質調整パラメータを記憶するレジスタを備えており、このレジスタに記憶された画質調整パラメータにより各チャンネルの画質が調整される。
【００４２】
なお、画質調整による画質調整パラメータの値は、画質調整作業の工程が終了したステップＳ１４、ステップＳ１７において最終的に値が決定したときフラッシュメモリ１１に格納するようにすれば、フラッシュメモリ１１の書き込みに伴う寿命の点で有利になる。この場合には、画質調整作業中は、定期的にフラッシュメモリ１１の画質調整パラメータの値を映像処理回路２のレジスタに書き込む動作を停止し、調整中に画質調整パラメータとして得られた値を直接映像処理回路のレジスタに書き込むようにすれば良い。もちろん、画質調整作業中もフラッシュメモリ１１の画質調整パラメータを変更するようにしておけば、上記定期的にフラッシュメモリ１１に格納された画質調整パラメータを対応するチャンネルの映像処理回路２に書き込む処理で、各映像処理回路４−１〜４−ｎのレジスタの値を変更することもできる。
【００４３】
最終的に調整され決定された画質調整パラメータの値はフラッシュメモリ１１に格納されるので、電源がＯＦＦされてもその値を保つことができる。
【００４４】
また、画面４−３の画質を画面４−４に適用することを後で思い立ったときでも、フラッシュメモリ１１の領域３に格納され画質調整パラメータを領域４にコピーすることで、上記画質調整の工程が終了した後にも容易に実行することができる。
【００４５】
本実施の形態によれば、複数のチャンネルの画面をモニタ装置に複数画面として分割表示し、これらの画面を比較しながら、所望の任意の画面について、画質を同時に決定できるので、画質調整に時間がかからないという効果がある。また、複数のチャンネルの画面の画質を変更する場合、視覚的に見ることができ画質の違いが理解しやすいという効果がある。
【００４６】
（第２の実施の形態）
図５は本発明の第２の実施の形態である、多チャンネル入力方式映像装置の構成を示したものである。図５において図１と同一符号のものは同じものを示す。１６は映像処理回路で、図１の映像処理回路２と同様であるが、内部に画質調整パラメータを記憶する読み書き可能な不揮発性メモリを備えている。１８は、図１に示したＲＯＭ１２と同様、画質調整用のプログラムを含むマイクロコンピュータの動作に必要なプログラムが記憶されたＲＯＭである。
【００４７】
図２において、第１の実施の形態と異なる点は、画質調整パラメータの値を格納するフラッシュメモリ１１の代わりに、各映像処理回路１６の内部に備わるメモリを使用したことである。他の画面に調整された画質を適用するときは、画質調整された映像処理回路１６のメモリに記憶された画質調整パラメータが、適用すべき他の像処理回路１６のメモリに直接コピーされる。
【００４８】
この実施の形態の動作は、第１の実施の形態におけるフラッシュメモリ１１が各映像処理回路１６の内部に備わるメモリに代わるだけなので、詳細説明は省略する。
【００４９】
この実施の形態によれば、上記第１の実施の形態の効果の他に、画質調整パラメータを記憶するフラッシュメモリ１１が映像処理回路１６のレジスタで兼用できるという効果がある。また、画質調整パラメータを直接各映像処理回路１６の内部に備わるメモリに書き込むので、定期的にフラッシュメモリ１１の画質調整パラメータの値を各映像処理回路のレジスタに書き込む処理が不要になるという効果がある。
【００５０】
（第３の実施の形態）
図６は本発明の第３の実施の形態で、第１の実施の形態、第２の実施の形態に対し変更となっている要部のみ記載してある。図６において図１と同一符号のものは同じものを示す。
【００５１】
上記第１、第２の実施の形態では、所望の画面の画質を調整し、その調整された画質に対応する画質調整パラメータを他の画面にそのまま適用するようにしている。しかし、画質調整パラメータを同一にしても、入力されるメディアの種類により微妙に画質が異なる場合がある。したがって上記第１、第２の実施の形態では画質調整が終了した後、再調整することもあり得る。
【００５２】
このような問題を解決したのが、この実施の形態による画質調整である。この実施の形態では、各チャンネルの画質調整パラメータ間の比率に対応する係数を記憶する画質調整パラメータ変換係数記憶部１９を備えている。この比率はどれか１つの画面を基準に決めることができる。
【００５３】
この実施の形態では、まず、第１、第２の実施の形態と同様にして画質の調整が行われる（図３のステップＳ１〜Ｓ１４）。そして画質調整の適用が行われたチャンネルの画質調整パラメータが同一の値になる。このとき調整された各画面を見て再調整が必要な画面を単独で画質調整する（図３のステップ１５〜Ｓ１７）。
【００５４】
この画質調整パラメータ変換係数記憶部１９は、初期状態では係数が全て同一になっている。そして上記画質再調整後に各チャンネルの画質調整パラメータ間の比率に対応して係数が変更される。
【００５５】
次回、画質調整が必要になったときは、図３のステップＳ１４で、調整した画質調整パラメータを複数画面に適用する際に、画質調整パラメータ変換係数記憶部１９から係数を呼び出して重み付けして適用画面の画質調整パラメータを決定し、フラッシュメモリ１１に格納する。
【００５６】
この第３の実施の形態によれば、上記第１、２の実施の形態の効果の他に、各チャンネルの初回の画質調整は好みの画質からずれる可能性があるが、２回目以降は再調整の必要が無くなるという効果がある。
【００５７】
なお、第１、第２の実施の形態であっても、大まかな画質調整は行われるので、再調整は最小の手間で済むようになる。
【００５８】
なお、画質調整パラメータ変換係数記憶部１９をメディアの種類毎に係数を変えるように構成しておけば、例えばアナログ放送入力をチャンネル１からチャンネル２に接続変更してもこれに対応することができる。また、上記係数は画質調整パラメータ間の比率でなく、画質調整パラメータ間の差分としてもよい。
【００５９】
以上、第１〜３の実施の形態について具体的に説明したが、本発明はこれら実施の形態に限らず、発明の主旨を変更しない範囲で変更して実施できることはいうまでもない。
【産業上の利用可能性】
【００６０】
本発明は、多チャンネル入力方テレビジョン受像機に限らず、多チャンネル入力方式映像装置の画質調整に広く利用できる。
【図面の簡単な説明】
【００６１】
【図１】本発明による第１の実施の形態の、多チャンネル入力方式映像装置の制御構成を示す図である。
【図２】本発明による第１の実施の形態のメモリ内容を示す図である。
【図３】本発明による第１の実施の形態の制御フローチャートである。
【図４】本発明による第１の実施の形態の、多チャンネル入力方式映像装置を示す図である。
【図５】本発明による第２の実施の形態の、多チャンネル入力方式映像装置の制御構成を示す図である。
【図６】本発明による第３の実施の形態の、多チャンネル入力方式映像装置の制御構成を示す図である。
【図７】従来技術の多チャンネル入力方式テレビジョン受像機の制御構成を示す図である。
【図８】従来技術の多チャンネル入力方式テレビジョン受像機の制御構成を示す図である。
【符号の説明】
【００６２】
１、１−１〜１−ｎ・・・チューナー
２、２−１〜２−ｎ・・・映像処理回路
３・・・マルチ画面処理回路
４・・・モニタ装置
５〜７・・・アンテナ
８・・・ＤＶＤコンポ
９・・・制御部
１０・・・ＲＡＭ
１１・・・フラッシュメモリ（読み書き可能な不揮発性メモリ）
１２・・・ＲＯＭ
１３・・・リモコン
１４・・・リモコン受信部
１５・・・多チャンネル入力方式映像装置
１６、１６−１〜１６−ｎ・・・映像処理回路
１７−１〜１７−ｎ・・・不揮発性メモリ
１８・・・ＲＯＭ
１９・・・画質調整パラメータ変換係数記憶部
４１・・・アナログ受信部
４２・・・ディジタル受信部
４３・・・選択部
４４・・・映像信号処理部
４５・・・画質調整部
４６・・・走査変換部
４７・・・表示部
４８・・・制御部
４９、４９ａ、４９ｂ・・・記憶部
５０・・・リモコン
【図１】
2006157222.tif 000003
【図２】
2006157222.tif 000004
【図３】
2006157222.tif 000005
【図４】
2006157222.tif 000006
【図５】
2006157222.tif 000007
【図６】
2006157222.tif 000008
【図７】
2006157222.tif 000009
【図８】
2006157222.tif 000010